(57)【要約】【課題】本発明は、従来にない非常に実用的な草刈り装置を提供することを目的とする。【解決手段】所定長さを有する本体１の先端部に草刈り刃３を備えた草刈り装置であって、前記本体１には、握持部４が設けられると共に、この握持部４を握持する手の腕に前記本体１を固定する腕固定部５が設けられ、また、前記草刈り刃３は草刈り刃作動用駆動源２により駆動するように設けられ、前記草刈り刃作動用駆動源２を作動させる草刈り刃操作部６は前記握持部４を握持する手の指で操作し得る位置に設けられたものである。【選択図】図１
2019118280.tif 000002
【特許請求の範囲】
【請求項１】
所定長さを有する本体の先端部に草刈り刃を備えた草刈り装置であって、前記本体には、握持部が設けられると共に、この握持部を握持する手の腕に前記本体を固定する腕固定部が設けられ、また、前記草刈り刃は草刈り刃作動用駆動源により駆動するように設けられ、前記草刈り刃作動用駆動源を作動させる草刈り刃操作部は前記握持部を握持する手の指で操作し得る位置に設けられ、更に、前記本体は、伸縮自在に連設される複数の長尺部材から成り、この伸縮は伸縮用駆動源の作動により行われるように構成され、前記伸縮用駆動源を作動させる伸縮操作部が前記握持部を握持する手の指で操作し得る位置に設けられていることを特徴とする草刈り装置。
【請求項２】
請求項１記載の草刈り装置において、前記腕固定部は、腕に巻き付け固定する帯状体で構成されていることを特徴とする草刈り装置。
【請求項３】
請求項１，２いずれか１項に記載の草刈り装置において、前記草刈り刃作動用駆動源には該草刈り刃作動用駆動源の作動により回転する第一回転軸が設けられ、この第一回動軸には該第一回転軸により回転する第二回転軸が連設され、前記草刈り刃は前記第二回転軸の回転により回転するように構成され、前記第一回動軸は前記本体の伸縮に伴い伸縮するように構成されていることを特徴とする草刈り装置。
【請求項４】
請求項１〜３いずれか１項に記載の草刈り装置において、前記草刈り刃作動用駆動源は電動モーターであることを特徴とする草刈り装置。
【請求項５】
請求項１〜４いずれか１項に記載の草刈り装置において、前記伸縮用駆動源は電動モーターであることを特徴とする草刈り装置。
【発明の詳細な説明】
【技術分野】
【０００１】
本発明は、草刈り装置に関するものである。
【背景技術】
【０００２】
従来から、例えば特開平９−４７１２８号に開示される草刈り装置（以下、従来例）が提案されている。
【０００３】
この従来例は、長尺本体の先端部に駆動エンジンの作動により回転する円盤状の草刈り刃が設けられ、また、長尺本体には左右夫々の手で握持する操作捍が設けられ、更に、操作捍を握持する作業者の身体に長尺本体を固定する巻き付けるベルト部材が設けられている。
【０００４】
従って、作業者はベルト部材を身体に巻き付け、操作捍を握持し、長尺本体を左右に振りながら回転する草刈り刃で草刈りをすることになる。
【先行技術文献】
【特許文献】
【０００５】
【特許文献１】特開平９−４７１２８号公報
【発明の概要】
【発明が解決しようとする課題】
【０００６】
ところで、従来例は、広い作業現場では有効であるが、狭い作業現場、例えば家庭用として使用する場合、サイズが大き過ぎてかえって使いにくい場合がある。
【０００７】
本発明は、前述した問題点を解消する、従来にない非常に実用的な草刈り装置を提供する。
【課題を解決するための手段】
【０００８】
添付図面を参照して本発明の要旨を説明する。
【０００９】
所定長さを有する本体１の先端部に草刈り刃３を備えた草刈り装置であって、前記本体１には、握持部４が設けられると共に、この握持部４を握持する手の腕に前記本体１を固定する腕固定部５が設けられ、また、前記草刈り刃３は草刈り刃作動用駆動源２により駆動するように設けられ、前記草刈り刃作動用駆動源２を作動させる草刈り刃操作部６は前記握持部４を握持する手の指で操作し得る位置に設けられ、更に、前記本体１は、伸縮自在に連設される複数の長尺部材１ａから成り、この伸縮は伸縮用駆動源７の作動により行われるように構成され、前記伸縮用駆動源７を作動させる伸縮操作部８が前記握持部４を握持する手の指で操作し得る位置に設けられていることを特徴とする草刈り装置に係るものである。
【００１０】
また、請求項１記載の草刈り装置において、前記腕固定部５は、腕に巻き付け固定する帯状体５ａで構成されていることを特徴とする草刈り装置に係るものである。
【００１１】
また、請求項１，２いずれか１項に記載の草刈り装置において、前記草刈り刃作動用駆動源２には該草刈り刃作動用駆動源２の作動により回転する第一回転軸９が設けられ、この第一回動軸９には該第一回転軸９により回転する第二回転軸10が連設され、前記草刈り刃３は前記第二回転軸10の回転により回転するように構成され、前記第一回動軸９は前記本体１の伸縮に伴い伸縮するように構成されていることを特徴とする草刈り装置に係るものである。
【００１２】
また、請求項１〜３いずれか１項に記載の草刈り装置において、前記草刈り刃作動用駆動源２は電動モーターであることを特徴とする草刈り装置に係るものである。
【００１３】
また、請求項１〜４いずれか１項に記載の草刈り装置において、前記伸縮用駆動源７は電動モーターであることを特徴とする草刈り装置に係るものである。
【発明の効果】
【００１４】
本発明は上述のように構成したから、例えば従来例が使いにくい狭い作業現場でも確実に草刈りをすることができ、しかも、非常に操作性が良くて作業性が極めて良好であるなど、従来にない非常に実用的な草刈り装置となる。
【図面の簡単な説明】
【００１５】
【図１】本実施例を示す斜視図である。
【図２】本実施例の要部を説明する断面図である。
【図３】本実施例の要部の動作説明図である。
【図４】本実施例の要部の底面図である。
【図５】本実施例の要部の動作説明図である。
【図６】本実施例の要部の断面図である。
【図７】本実施例の要部の断面図である。
【図８】本実施例の要部の説明図である。
【図９】本実施例の要部の説明図である。
【図１０】本実施例の要部の斜視図である。
【図１１】本実施例の動作説明図である。
【図１２】本実施例の動作説明図である。
【発明を実施するための形態】
【００１６】
好適と考える本発明の実施形態を、図面に基づいて本発明の作用を示して簡単に説明する。
【００１７】
本発明の草刈り装置を腕固定部５により握持部４を握持する腕に固定し、草刈り刃３が作業し易い位置となるように、伸縮操作部８を操作して本体１の長さを変え、草刈り刃操作部６を操作して草刈り刃３を作動させ、草刈りを行う。
【００１８】
この本体１の伸縮及び草刈り刃３の作動は、いずれも握持部４を握持する手の指で操作できるから、全ての操作が片手操作で行えることになり、しかも、本体１は腕に固定されているから、片手操作でも本体１が搖動したりせず前述した操作が確実に行えることになる。
【実施例】
【００１９】
本発明の具体的な実施例について図面に基づいて説明する。
【００２０】
本実施例は、長尺の本体１の先端部に草刈り刃３を備えた草刈り装置Ｋである。
【００２１】
以下、本実施例に係る構成各部について詳細な説明をする。
【００２２】
本体１は、図１，２に図示したように適宜な合成樹脂製の部材で形成した複数（３つ）の長尺部材１ａを伸縮自在に連結して構成されている。
【００２３】
具体的には、各長尺部材１ａは長さ方向に孔を有し互いに径の異なる筒状中空体であり、径大の長尺部材に対して径小の長尺部材がスライド自在に挿入連結されている。
【００２４】
また、本体１の基端側部位（最も基端側の長尺部材１ａ）には、手で握持する握持部４が設けられている。
【００２５】
握持部４は、図１，２に図示したように本体１の下面部に垂設されており、この握持部４を握った手の腕に本体１の基端部が添設状態となる形状に設定されている。
【００２６】
また、本体１の基端側部位（最も基端側の長尺部材１ａ）には、握持部４を握持する手の腕に本体１を固定する腕固定部５が設けられている。
【００２７】
腕固定部５は、図１，２に図示したように腕に巻き付け固定する帯状体５ａ（ベルト部材）で構成され、握持部５よりも基端側部位にして前後位置に一対設けられている。
【００２８】
この腕固定部５で本体１を腕に固定することができ、本実施例に係る草刈り装置Ｋは片手装着型として構成されている。
【００２９】
また、本体１の基端側部位（最も基端側の長尺部材）には、草刈り刃作動用駆動源２が設けられている。
【００３０】
この草刈り刃作動用駆動源２は電動モーターであり、この草刈り刃作動用駆動源２から本体１の孔に回転自在に配される第一回転軸９が突設されている。
【００３１】
この第一回転軸９は、図２に図示したように適宜な金属製の部材で形成された伸縮自在な軸状体であり、前述した本体１の伸縮に伴い伸縮するように構成されている。
【００３２】
また、この第一回動軸９には、該第一回転軸９の回転に伴い回転する第二回転軸10が連設され、この第二回転軸10に設けられる草刈り刃３は該第二回転軸10の回転により回転するように構成されている。
【００３３】
具体的には、第二回転軸10は、図２に図示したように適宜な金属製の部材で形成された中空の管状体であり、本体１の先端側部位（最も先端側の長尺部材）に設けられた軸収納体11内にベアリング部12を介して回転自在に垂設され、更に、この第二回転軸10は第一回転軸９の先端部と傘歯車構造13を介して略直交するように連結されている。
【００３４】
従って、草刈り刃作動用駆動源２が作動して第一回転軸９が回転することに伴い、第二回転軸が回転10する。
【００３５】
また、第二回転軸10の下端部には草刈り刃３が設けられている。
【００３６】
この草刈り刃３は、図３，４に図示したように適宜な金属製の部材で形成された円盤体であり、周縁に刃部３ａが設けられている。
【００３７】
従って、第二回転軸10の回転に伴い回転して周縁を草に当てて該草を刈ることができる。
【００３８】
また、本実施例では、図５，６に図示したように軸収納体11は本体１の先端部に枢着され、水平状態から前方へ４５度の角度範囲で前後方向に首振り回転自在に設けられており、この回転範囲における任意の角度位置で回転不能とする位置決め部14が設けられている。
【００３９】
また、この軸収納体11の回転に対応すべく傘歯車構造13の形状が適宜設定されている。
【００４０】
また、本実施例は、図１，２に図示したように草刈り刃作動用駆動源２を作動させる草刈り刃操作部６が、本体１の所定位置にして握持部４を握持する手の指で操作し得る位置に垂設されている。
【００４１】
従って、この草刈り刃操作部６を手前に引く事で草刈り刃作動用駆動源２が作動する。
【００４２】
また、第二回転軸10の上端開口部は後述する液体収納部16から供給される液体Ｌを導入する液体導入口部10ａとして構成され、下端開口部は液体Ｌを導出する液体導出口部10ｂとして構成されている。
【００４３】
また、第二回転軸10の下端部には、液体導出口部10ｂから導出される液体Ｌを拡散する液体拡散部15が設けられている。
【００４４】
この液体拡散部15は、図３，４に図示したように下方に開口する円筒体であり、この液体拡散部15の天面部15ａには回転中心（液体導出口部10ｂ）から放射方向に複数の湾曲溝部15ｂが設けられている。
【００４５】
この湾曲溝部15ｂは、液体拡散部15が回転しながら液体導出口部10ｂから液体Ｌが導出された際、液体Ｌを放射方向に誘導する。
【００４６】
また、各湾曲溝部15ｂには、液体拡散部15の回転方向と反対方向に枝分かれする溝部15ｂ’が設けられ、湾曲溝部15ｂに誘導される液体Ｌの一部が溝部15ｂ’に枝分れすることで拡散されることになる。
【００４７】
液体収納部16は、図１，２に図示したように本体１の基端側部位（最も基端側の長尺部材１ａ）に設けられる所定容量を有するタンクで構成され、この液体収納部16から液体通過管17が突設され、この液体通過管17の先端部が第二回転軸10の上端部（液体導入口部10ａ）に接続されている。
【００４８】
従って、液体収納部16から液体通過管17を介して供給される液体Ｌ（例えば除草剤）は第二回転軸10を通過して液体導出口部10ｂから草刈り刃３の下面部位に導出される。
【００４９】
また、液体収納部16には空気を供給する空気供給部18が設けられている。
【００５０】
この空気供給部18は、図７，８，９に図示したように液体収納部16の基端面部に複数の通気孔18ａを円弧状に並設して構成されており、更に、液体収納部16への空気の供給量を調整する空気供給量調整部19が設けられている。
【００５１】
この空気供給量調整部19は、図７，８，９に図示したように液体収納部16の基端面部に重合する円形板状の重合部材19ａを回動自在に設け、この重合部材19ａには円弧状の長窓孔19ａ’が設けられている。
【００５２】
この長窓孔19ａ’は、一端部から他端部に向けて徐々に幅狭となる形状に設けられ、液体収納部16の基端面部に対して重合部材19ａを回転させた際、この長窓孔19ａ’が通気孔18ａに合致した際に合致する連通孔の開口面積が回転位置に応じて可変するように構成されている（図８，９参照）。
【００５３】
従って、重合部材19ａを回動させて通気孔18ａと長窓孔19ａ’で形成される連通孔の開口面積の増減によって空気供給量を調整することができ、連通孔の開口面積が広いほど液体導出口部10ｂからの液体Ｌの排出量（勢い）は増すことになる。
【００５４】
また、本体１の基端側部位（最も基端側の長尺部材）には、左右位置に一対の伸縮用駆動源７（電動モーター）が設けられており、この各伸縮用駆動源７の作動により本体１を伸縮させる伸縮機構20が設けられている。
【００５５】
具体的には、この伸縮機構20は、図10に図示したように各伸縮用駆動源７の回転軸に連結される巻取りローラ20ａと、この巻取りローラ20ａに巻回され、先端部が本体１の先端部位（最も基端側の長尺部材１ａ）に連結される長尺ベルト状の作用部材20ｂとで構成され、この作用部材20ｂは巻取りローラ20ａに巻き取られたり、送り出されたりするように構成されている。
【００５６】
従って、巻取りローラ20ａの正逆回転により作用部材20ｂを出し入れすることで、こ作用部材20ｂが連設される本体１は伸縮することになる。
【００５７】
また、本実施例は、伸縮用駆動源７を作動させる伸縮操作部８が本体１の所定位置にして握持部４を握持する手の指で操作し得る位置に垂設されている。
【００５８】
この伸縮操作部８を指で前方へ傾動させることで本体１は伸び作動し、伸縮操作部８を指で後方に傾動させることで本体１は縮み作動することになる（図11，12参照）。
【００５９】
符号16ａは液体収納部16内の液体Ｌの残量を確認するための液体残量確認用窓、21は草刈り刃作動用駆動源２及び伸縮用駆動源７のバッテリーを収納するバッテリー収納部、22はバッテリーの残量を表示するバッテリー残量表示部、23は本体１の伸縮状態を表示する伸縮表示部である。
【００６０】
本実施例は上述のように構成したから、草刈り装置Ｋを腕固定部５により握持部４を握持する腕に固定し、草刈り刃３が作業し易い位置となるように、伸縮操作部８を操作して本体１の長さを変え、草刈り刃操作部６を操作して草刈り刃３を作動させ、草刈りを行う。
【００６１】
この本体１の伸縮及び草刈り刃３の作動は、いずれも握持部４を握持する手の指で操作できる位置にあるから、全ての操作が片手操作で行えることになり、しかも、本体１は腕に固定されているから、片手操作でも本体１が揺動したりせず前述した操作が確実に行えることになる。
【００６２】
よって、本実施例によれば、例えば従来例が使いにくい狭い作業現場でも確実に草刈りをすることができ、しかも、非常に操作性が良くて作業性が極めて良好である。
【００６３】
また、本実施例は、腕固定部５は、腕に巻き付け固定する帯状体５ａで構成されているから、簡易構造でありながら確実に腕に本体１を固定することができる。
【００６４】
また、本実施例は、草刈り刃作動用駆動源２には該草刈り刃作動用駆動源２の作動により回転する第一回転軸９が設けられ、この第一回動軸９には該第一回転軸９により回転する第二回転軸10が連設され、草刈り刃３は第二回転軸10の回転により回転するように構成され、第一回動軸９は本体１の伸縮に伴い伸縮するように構成されているから、草刈り刃作動用駆動源２の駆動を草刈り刃３に伝達することができる。
【００６５】
また、本実施例は、草刈り刃作動用駆動源２及び伸縮用駆動源７は電動モーターであるから、化石燃料を用いたエンジン構造に比してコスト安にして量産性に秀れ、しかも、軽量であるから極めて操作性が良いことになる。
【００６６】
尚、本発明は、本実施例に限られるものではなく、各構成要件の具体的構成は適宜設計し得るものである。
【符号の説明】
【００６７】
１  本体
１ａ  長尺部材
２  草刈り刃作動用駆動源
３  草刈り刃
４  握持部
５  腕固定部
６  草刈り刃操作部
７  伸縮用駆動源
８  伸縮操作部
９  第一回転軸
10  第二回転軸
【図１】
2019118280.tif 000003
【図２】
2019118280.tif 000004
【図３】
2019118280.tif 000005
【図４】
2019118280.tif 000006
【図５】
2019118280.tif 000007
【図６】
2019118280.tif 000008
【図７】
2019118280.tif 000009
【図８】
2019118280.tif 000010
【図９】
2019118280.tif 000011
【図１０】
2019118280.tif 000012
【図１１】
2019118280.tif 000013
【図１２】
2019118280.tif 000014